(57)【要約】【課題】衣料にカップワイヤーを備えさせるにあたり、端部キャップがそれを邪魔することがなく、また、この作業を行い易く、しかも、こうした衣料装着者に対して端部キャップが格別の違和感を感じさせることがないようにする。【解決手段】）一端を解放させた細長いスリーブ部分１０と、このスリーブ部分１０の他端から先に突き出す中実の末端部分１１とを有している。断面形状を扁平形状とする。末端部分１１は、この末端部分１１の先端とスリーブ部分１０との間において、最幅広部分１１ａを有すると共に、この最幅広部分１１ａから末端部分１１の先端に向かうに連れて次第に幅狭となり、かつ、この最幅広部分１１ａからスリーブ部分１０の側に向かうに連れて次第に幅狭となるように構成されている。【選択図】図１
2006336144.tif 000002
【特許請求の範囲】
【請求項１】
ブラジャーなどのカップを備えた衣料におけるカップワイヤーのワイヤー端部にはめ付けられる可撓性を備えた端部キャップであって、
一端を解放させた細長いスリーブ部分と、このスリーブ部分の他端から先に突き出す中実の末端部分とを有していると共に、
幅広の表面と幅広の裏面とを有する幅方向に沿った断面形状を扁平形状とするように構成されており、
スリーブ部分は、解放された一端から、このスリーブ部分における表面と裏面とを離れ出させる向きに弾性変形させながらワイヤー端部を受け入れてこのワイヤー端部にはめ付くようになっており、
しかも、末端部分が、この末端部分の先端とスリーブ部分との間において、最幅広部分を有すると共に、
この最幅広部分から末端部分の先端に向かうに連れて次第に幅狭となり、かつ、この最幅広部分からスリーブ部分の側に向かうに連れて次第に幅狭となるように構成されていることを特徴とする請求項１記載のカップワイヤーの端部キャップ。
【請求項２】
末端部分の表面側と裏面側とにそれぞれ、末端部分の長さ方向に沿った溝状凹所が形成されていると共に、この溝状凹所の溝幅が末端部分のどの位置においても末端部分の幅寸法の半分よりも大きくなっていることを特徴とする請求項１記載のカップワイヤーの端部キャップ。
【請求項３】
末端部分におけるスリーブ部分との連接側に、末端部分の表面側から裏面側に向けて窪む凹所が形成されており、端部キャップを樹脂成形する際のゲートをこのこの凹所の底に位置させるようにして射出成形されていることを特徴とする請求項１又は請求項２記載のカップワイヤーの端部キャップ。
【請求項４】
請求項１〜請求項３のいずれか１項に記載の端部キャップをワイヤー端部にはめ付けたカップワイヤーを、カップの下側隆起基部に沿って形成されたカップワイヤーの筒状挿入部に対し、端部キャップの幅広の表面をカップの前方に向けた状態で挿通するようにして構成されていることを特徴とするカップを備えた衣料。
【発明の詳細な説明】
【技術分野】
【０００１】
この発明は、ブラジャーなどのカップを備えた衣料におけるカップワイヤーのワイヤー端部にはめ付けられて用いられる端部キャップの改良、および、この端部キャップをワイヤー端部にはめ付けられたカップワイヤーを備えて構成される衣料に関する。
【背景技術】
【０００２】
先端部に複数の周溝を備えた合成樹脂製のカップワイヤーキャップがある。（特許文献１参照）しかるに、例えばブラジャーにあってはカップの下側隆起基部に沿って形成された筒状挿入部に対しキャップを先にしてカップワイヤーを入れ込ませることになるが、このように構成されたキャップの先端部は不規則に変形するため、この筒状挿入部の内壁に先端部が引っかかり易く、こうした入れ込み作業に難を生じさせることが少なくなかった。かかるキャップの先端部の剛性を高くすればこうした不具合は減少されるが、そうしてしまうとブラジャーなどの装着者にキャップに起因した違和感を感じさせてしまう。こうしたことから、本出願人らは先に特許文献２にかかる端部キャップを提案しているところである。
【特許文献１】実用新案登録第３０９２４７２号公報
【特許文献２】特願２００４−５３８６２号
【発明の開示】
【発明が解決しようとする課題】
【０００３】
この発明が解決しようとする主たる問題点は、カップを備えた衣料にカップワイヤーを備えさせるにあたり、端部キャップがそれを邪魔することがなく、また、この作業を行い易く、しかも、こうした衣料装着者に対して端部キャップが格別の違和感を感じさせることがないようにする点にある。
【０００４】
また、カップを備えた衣料にあっては、カップワイヤーを備え付けやすく、かつ、備え付けられたカップワイヤーが衣料装着者に対して格別の違和感を感じさせることがないようにする点にある。
【課題を解決するための手段】
【０００５】
前記問題点を解決するために、この発明にあっては、カップワイヤーの端部キャップが以下の（１）〜（６）の構成を備えたものとした。
（１）ブラジャーなどのカップを備えた衣料におけるカップワイヤーのワイヤー端部にはめ付けられる可撓性を備えた端部キャップであって、
（２）一端を解放させた細長いスリーブ部分と、このスリーブ部分の他端から先に突き出す中実の末端部分とを有していると共に、
（３）幅広の表面と幅広の裏面とを有する幅方向に沿った断面形状を扁平形状とするように構成されており、
（４）スリーブ部分は、解放された一端から、このスリーブ部分における表面と裏面とを離れ出させる向きに弾性変形させながらワイヤー端部を受け入れてこのワイヤー端部にはめ付くようになっており、
（５）しかも、末端部分が、この末端部分の先端とスリーブ部分との間において、最幅広部分を有すると共に、
（６）端部キャップのこの箇所は、この最幅広部分から末端部分の先端に向かうに連れて次第に幅狭となり、かつ、この最幅広部分からスリーブ部分の側に向かうに連れて次第に幅狭となるように構成されている。
【０００６】
かかる端部キャップは、先ず、そのスリーブ部分の解放された一端側からこのスリーブ部分にワイヤー端部を入れ込ませることにより、このワイヤー端部にワンタッチではめ付けることができる。
【０００７】
端部キャップは可撓性を有し、かつ、スリーブ部分の先に中実の末端部分を有することから、衣料装着者にカップワイヤーのワイヤー端部が身体に突き当てられるような感触を与えないようにすることができる。
【０００８】
また、端部キャップは、幅広の表面と幅広の裏面とを有し、末端部分はこの幅広の両面のいずれかの側を屈曲内側としては撓み易いが、この幅広の両面間にある厚さとなる両側面のいずれかの側を屈曲内側としては撓み難い。衣料に予め形成されたカップワイヤーの筒状挿入部にカップワイヤーを入れ込ませる場合には、端部キャップを先にしてこの挿入がなされることとなるが、端部キャップの末端部分はこのように撓みやすい方向と撓みがたい方向とをもっていることから、この挿入にあたり末端部分が不規則に撓んでこの挿入の妨げとなる事態を生じさせることがない。すなわち、カップの前方に端部キャップの幅広の表面、あるいは、裏面が向けられた状態で前記筒状挿入部にカップワイヤーを入れ込ませるようにすれば、こうした筒状挿入部の上下内壁に末端部分が変形して突き当たることがなく、この挿入作業を円滑に行うことができる。
【０００９】
また、末端部分には前記のように構成された最幅広部分が形成されていることから、衣料に予め形成されたカップワイヤーの筒状挿入部へのカップワイヤーの入れ込みを可能としながら、カップワイヤーを入れ込ませた後は、この最幅広部分を筒状挿入部の内壁に接触させることによって、簡単にはこの筒状挿入部からカップワイヤーが抜け出さないようにすることができる。
【００１０】
前記末端部分の表面側と裏面側とにそれぞれ、末端部分の長さ方向に沿った溝状凹所を形成させておくと共に、この溝状凹所の溝幅を末端部分のどの位置においても末端部分の幅寸法の半分よりも大きくさせるようにしておくこともある。
【００１１】
このようにした場合、かかる末端部分に、最低限の剛性を付与しながら、できる限り撓み易いようにすることができる。
【００１２】
また、前記末端部分におけるスリーブ部分との連接側に、末端部分の表面側から裏面側に向けて窪む凹所を形成させておき、端部キャップを樹脂成形する際のゲートをこのこの凹所の底に位置させるようにして射出成形により端部キャップを構成させるようにしておくこともある。
【００１３】
このようにした場合、端部キャップはかかる凹所の底にゲートが位置されるようにして成形されることから、成形された端部キャップにゲートによって不要な突起などが残された場合でも、これを完全に取り除かなくともこうした突起が衣料装着者の身体に違和感を与えることがないようにできる。
【００１４】
また、前記問題点を解決するために、この発明にあっては、カップを備えた衣料を、前記端部キャップをワイヤー端部にはめ付けたカップワイヤーを、カップの下側隆起基部に沿って形成されたカップワイヤーの筒状挿入部に対し、端部キャップの幅広の表面をカップの前方に向けた状態で挿通するようにして構成されているものとした。
【００１５】
かかる衣料にあっては、前記カップワイヤーにはめ付けられた端部キャップが可撓性を有し、かつ、スリーブ部分の先に中実の末端部分を有することから、衣料装着者にカップワイヤーのワイヤー端部が身体に突き当てられるような感触を与えない。
【００１６】
また、端部キャップは、幅広の表面と幅広の裏面とを有し、末端部分はこの幅広の両面のいずれかの側を屈曲内側としては撓み易いが、この幅広の両面間にある厚さとなる両側面のいずれかの側を屈曲内側としては撓み難い。衣料に予め形成されたカップワイヤーの筒状挿入部にカップワイヤーを入れ込ませる場合には、端部キャップを先にしてこの挿入がなされることとなるが、端部キャップの末端部分はこのように撓みやすい方向と撓みがたい方向とをもっていることから、この挿入にあたり末端部分が不規則に撓んでこの挿入の妨げとなる事態を生じさせることがない。すなわち、カップワイヤーは、カップの前方に端部キャップの幅広の表面が向けられた状態で前記筒状挿入部に入れ込まれることから、こうした筒状挿入部の上下内壁に末端部分が変形して突き当たることがなく、この挿入作業を円滑に行なえる。
【００１７】
さらに、カップの前方に端部キャップの幅広の表面が向けられた状態で前記筒状挿入部にカップワイヤーが入れ込まれていることから、衣料装着者の身体に端部キャップが違和感を与えるといった事態をほとんど生じさせることがない。
【発明の効果】
【００１８】
この発明にかかる端部キャップにあっては、カップを備えた衣料にカップワイヤーを備えさせるにあたり、端部キャップがそれを邪魔することがなく、また、この作業を行い易く、しかも、こうした衣料装着者に対して端部キャップが格別の違和感を感じさせることがない。
【００１９】
また、この発明にかかるカップを備えた衣料にあっては、カップワイヤーを備え付けやすく、かつ、備え付けられたカップワイヤーが衣料装着者に対して格別の違和感を感じさせることがない。
【発明を実施するための最良の形態】
【００２０】
以下、図１ないし図１２に基づいて、この発明を実施するための最良の形態について説明する。
【００２１】
なお、ここで図１は、実施の形態にかかる端部キャップ１をその幅広の表面１２側から見た状態として示しており、また、図２は、断面の状態として示している。また、図３は、図１における右側から見て示している。また、図４は、かかる端部キャップ１をカップワイヤー２のワイヤー端部２０にはめ付けた状態を断面にして示しており、同図においてははめ付け前の端部キャップ１の輪郭を想像線で表している。また、図５ないし図９は、かかる端部キャップ１をそれぞれ幅方向に沿って断面にして示している。また、図１０は、かかる端部キャップ１をカップワイヤー２の両ワイヤー端部２０、２０にそれぞれはめ付けた状態を示しており、また、図１１は、かかるカップワイヤー２が備え付けられるブラジャー３０の要部を断面にして示している。また、図１２は、かかるカップワイヤー２を備えて構成されたブラジャー３０の要部を斜視の状態として示している。
【００２２】
この実施の形態にかかる端部キャップ１は、ブラジャー３０などのカップ３１を備えた衣料３におけるカップワイヤー２のワイヤー端部２０にはめ付けられて用いられるものである。
【００２３】
また、この実施の形態にかかるカップ３１を備えた衣料３は、前記端部キャップ１をワイヤー端部２０にはめ付けられたカップワイヤー２を備えて構成されるものである。
【００２４】
かかる端部キャップ１は、可撓性を備えている。かかる端部キャップ１への可撓性の付与は、かかる端部キャップ１をゴムや軟質のプラスチック材料によって構成することで確保することができる。
【００２５】
かかる端部キャップ１は、一端を解放させた細長いスリーブ部分１０と、このスリーブ部分１０の他端から先に突き出す中実の末端部分１１とを有している。
【００２６】
また、幅広の表面１２と幅広の裏面１３とを有する幅方向に沿った断面形状を扁平形状とするように構成されている。
【００２７】
すなわち、かかる端部キャップ１は、全体として細長く、また、幅と厚さとを持つように構成されている。図示の例にあっては、かかる端部キャップ１は、その幅方向に沿った断面外郭形状を、その長さ方向に沿ったいずれの位置においても、略小判型の形状とするように構成されている。そして、前記幅広の表面１２と幅広の裏面１３とこの両面１２、１３間に厚さとなる側面１４を有している。側面１４は、湾曲外側を外方に向けた弧状の面として構成されている。
【００２８】
また、スリーブ部分１０は、解放された一端から、このスリーブ部分１０における表面１２と裏面１３とを離れ出させる向きに弾性変形させながら、ワイヤー端部２０を受け入れこのワイヤー端部２０にはめ付くようになっている。
【００２９】
図示の例では、スリーブ部分１０は、その幅方向に沿った断面内郭形状を、略小判型とするように構成されている。それと共に、対向する幅広の内面１０ａ、１０ａ間の寸法を、このスリーブ部分１０に入れ込み可能な太さを持ったカップワイヤー２のワイヤー端部２０の外径よりも小さくするように構成されている。図示の例にあっては、かかるワイヤー端部２０は楕円形の断面形状を持つように成形されており、このワイヤー端部２０の短軸側を端部キャップ１の厚さ方向ｘに沿わせる向きで、スリーブ部分１０に入れ込まれるようになっている。そして、図示の例では、スリーブ部分１０の対向する幅広の内面１０ａ、１０ａ間の寸法がこのワイヤー端部２０の短軸側の寸法よりも小さくなるようになっている。ワイヤー端部２０は、このスリーブ部分１０の内奥部に突き当たる位置まで、前記のようにスリーブ部分１０を弾性変形させながら、入れ込まれるようになっている。
【００３０】
また、図示の例では、スリーブ部分１０の他端側であって、その幅広の内面１０ａの一方には、幅方向略中程の位置に、スリーブ部分１０の長さ方向に沿う向きに長く続くと共に、スリーブ部分１０の一端側に向けられたリブ端面１０ｃを傾斜面としたリブ状隆起部１０ｂが形成されている。ワイヤー端部２０はスリーブ部分１０の他端側、つまり、内奥部側においては前記入れ込みにあたりこのリブ状隆起部１０ｂに接しながらスリーブ部分１０を押し広げるようになっており、スリーブ部分１０に入れ込まれたワイヤー端部２０はスリーブ部分１０の奥側においてより強固にスリーブ部分１０に締め付けられるようになっている。
【００３１】
また、図示の例にあっては、かかるスリーブ部分１０における幅広の表面１２側と幅広の裏面１３側とにそれぞれ、三カ所づつ丸穴状を貫通孔１０ｄが形成されている。
【００３２】
一方、末端部分１１は、この末端部分１１の先端とスリーブ部分１０との間において、最幅広部分１１ａを有すると共に、端部キャップ１のこの箇所はこの最幅広部分１１ａから末端部分１１の先端に向かうに連れて次第に幅狭となり、かつ、この最幅広部分１１ａからスリーブ部分１０の側に向かうに連れて次第に幅狭となるように構成されている。図示の例では、かかる末端部分１１は、その厚さとなる両側面１４、１４にそれぞれ、スリーブ部分１０との連接側において、頂部１１ｂを有し、端部キャップ１は、この頂部１１ｂの前方と後方とにある側面１４の一部をそれぞれ緩やかな傾斜面１１ｃとしている。すなわち、末端部分１１は、最幅広部分１１ａから前方を、その幅方向において先細り状となるように形成されている。また、末端部分１１は、最幅広部分１１ａからその先端に近づくに連れて次第にその肉厚を小さくするように構成されていると共に、その先端縁を弧状縁１１ｄとしている。
【００３３】
図示の例ではまた、末端部分１１の前記最幅広部分１１ａに、末端部分１１の表面１２側から裏面１３側に向けて窪む凹所１１ｅが形成されており、端部キャップ１はこの端部キャップ１を樹脂成形する際のゲートをこのこの凹所１１ｅの底に位置させるようにして射出成形により構成されている。図示の例ではかかる凹所１１ｅは、略円形のめくら穴状をなすように構成されている。また、凹所１１ｅは底に向かうに連れて径を小さくするように構成されている。
【００３４】
また、この末端部分１１の表面１２側と裏面１３側とにはそれぞれ、この末端部分１１の長さ方向に沿って長く延びる溝状凹所１１ｆが形成されている。溝状凹所１１ｆは、前記凹所１１ｅと末端部分１１の先端との間に亘って形成されている。図示の例では、溝状凹所１１ｆの一端は凹所１１ｅの外径に倣った弧状をなすように成形されており、また、溝状凹所１１ｆの他端は末端部分１１の先端に倣った弧状をなすように成形されている。この一端と他端との間においては、溝状凹所１１ｆの両溝壁は略平行をなすように形成されている。
【００３５】
また、図示の例では、かかる溝状凹所１１ｆの溝幅は、末端部分１１のどの位置においても末端部分１１の幅寸法の半分よりも大きくなるようになっている。これにより、図示の例では、かかる末端部分１１に、最低限の剛性を付与しながら、できる限り撓み易いようにしている。
【００３６】
また、末端部分１１の表面１２側に形成された溝状凹所１１ｆの凹所底部１１ｇと末端部分１１の裏面１３側に形成された溝状凹所１１ｆの凹所底部１１ｇとはほぼ同寸同形をなし、また、末端部分１１を表面１２側あるいは裏面１３側から見た場合に、いずれも一方の側の溝状凹所１１ｆの裏側において、この一方の溝状凹所１１ｆの凹所底部１１ｇの輪郭線をなぞるようにして他方の溝状凹所１１ｆの凹所底部１１ｇの輪郭線が位置づけられるようになっている。
【００３７】
かかる端部キャップ１は、カップ３１の下側隆起基部３２に沿うように湾曲状に成形されたカップワイヤー２の両ワイヤー端部２０、２０にそれぞれ前記のようにはめ付けられて用いられる。そして、カップ３１の下側隆起基部３２に沿うように形成されたカップワイヤー２の筒状挿入部３４にカップワイヤー２共々入れ込まれて用いられる。かかる筒状挿入部３４は、例えば、ブラジャー３０の場合には、ブラジャー３０を構成するカップ下布３３に筒状にした生地３５を止着させることにより構成される。
【００３８】
かかる端部キャップ１は、先ず、そのスリーブ部分１０の解放された一端側からこのスリーブ部分１０にワイヤー端部２０を入れ込ませることにより、このワイヤー端部２０にワンタッチではめ付けることができる。
【００３９】
端部キャップ１は可撓性を有し、かつ、スリーブ部分１０の先に中実の末端部分１１を有することから、衣料装着者にカップワイヤー２のワイヤー端部２０が身体に突き当てられるような感触を与えないようにすることができる。
【００４０】
また、端部キャップ１は、幅広の表面１２と幅広の裏面１３とを有し、末端部分１１はこの末端部分１１に形成された溝状凹所１１ｆによってこの幅広の両面１２、１３のいずれかの側を屈曲内側としては撓み易いが、この幅広の両面１２、１３間にある厚さとなる両側面１４、１４のいずれかの側を屈曲内側としては撓み難い。衣料３に予め形成されたカップワイヤー２の筒状挿入部３４にカップワイヤー２を入れ込ませる場合には、端部キャップ１を先にしてこの挿入がなされることとなるが、端部キャップ１の末端部分１１はこのように撓みやすい方向と撓みがたい方向とをもっていることから、この挿入にあたり末端部分１１が不規則に撓んでこの挿入の妨げとなる事態を生じさせることがない。すなわち、カップ３１の前方に端部キャップ１の幅広の表面１２、あるいは、裏面１３が向けられた状態で前記筒状挿入部３４にカップワイヤー２を入れ込ませるようにすれば、こうした筒状挿入部３４の上下内壁３６、３６に末端部分１１が変形して突き当たることがなく、この挿入作業を円滑に行うことができる。
【００４１】
また、末端部分１１は先細りとなっており、かつ、その先端縁１１ａは弧状縁１１ｄとなっていることから、この挿入にあたっての前記突き当たりは一層少なく、さらに、この末端部分１１が衣料装着者に違和感を与えることもない。
【００４２】
また、図示の例では、末端部分１１における溝状凹所１１ｆの形成箇所とスリーブ部分１０との間には、前記凹所１１ｅ分の間隔１１ｈが形成されており、これにより、端部キャップ１は、入れ込まれたカップワイヤー２０によって撓み難くなるスリーブ部分１０とそうではない末端部分１１との連接箇所に角を作ることなく、身体に突き立ち難いアールを作りながら湾曲されるようになっている。また、図示の例では、端部キャップ１の幅広の裏面１３であって、前記凹所１１ｅの背中合わせとなる位置に、円形の窪み１１ｉが形成されており、この凹所１１ｅの形成箇所の肉厚が厚くなりすぎないようにしてある。これは、この凹所１１ｅの形成箇所が厚くなりすぎると、この形成箇所から先が前記のような角をこの形成箇所との間に作りながら屈曲し易くなるためである。
【００４３】
さらに、カップ３１の前方に端部キャップ１の幅広の表面１２が向けられた状態で前記筒状挿入部３４にカップワイヤー２を入れ込ませるようにしておけば、衣料装着者の身体に端部キャップ１が違和感を与えるといった事態をより効果的に減少させることが可能となる。
【００４４】
また、末端部分１１には前記のように構成された最幅広部分１１ａが形成されていることから、衣料３に予め形成されたカップワイヤー２の筒状挿入部３４へのカップワイヤー２の入れ込みを可能としながら、カップワイヤー２を入れ込ませた後は、この最幅広部分１１ａを筒状挿入部３４の内壁に接触させることによって、簡単にはこの筒状挿入部３４からカップワイヤー２が抜け出さないようにすることができる。典型的には、かかる最幅広部分１１ａの幅寸法は、筒状挿入部３４の内径と略等しくなるようにしておく。
【００４５】
また、端部キャップ１は、前記凹所１１ｅの底にゲートが位置されるようにして成形されることから、成形された端部キャップ１にゲートによって不要な突起（ゲート残りと称される。）などが残された場合でも、これを完全に取り除かなくともこうした突起が衣料装着者の身体に違和感を与えることがないようにできる。
【００４６】
（カップ３１を備えた衣料３）
次いで、この実施の形態にかかるカップ３１を備えた衣料３は、以上に説明した端部キャップ１をワイヤー端部２０にはめ付けたカップワイヤー２を、カップ３１の下側隆起基部３２に沿って形成されたカップワイヤー２の筒状挿入部３４に対し、幅広の表面１２をカップ３１の前方に向けた状態で挿通するようにして構成されている。
【００４７】
具体的には、カップワイヤー２は、カップ３１の下側隆起基部３２に沿うように湾曲状に成形され、その両ワイヤー端部２０、２０にそれぞれ端部キャップ１がはめ付けられる。（図１０）そして、かかるカップワイヤー２は、カップ３１の下側隆起基部３２に沿うように形成されたカップワイヤー２の筒状挿入部３４に入れ込まれる。かかる筒状挿入部３４は、例えば、ブラジャー３０の場合には、ブラジャー３０を構成するカップ下布３３に筒状にした生地３５を止着させることにより構成される。
【００４８】
かかる衣料３にあっては、前記カップワイヤー２にはめ付けられた端部キャップ１が可撓性を有し、かつ、スリーブ部分１０の先に中実の末端部分１１を有することから、衣料装着者にカップワイヤー２のワイヤー端部２０が身体に突き当てられるような感触を与えない。
【００４９】
また、端部キャップ１は、幅広の表面１２と幅広の裏面１３とを有し、末端部分１１はこの末端部分１１に形成された溝状凹所１１ｆによってこの幅広の両面１２、１３のいずれかの側を屈曲内側としては撓み易いが、この幅広の両面１２、１３間にある厚さとなる両側面１４、１４のいずれかの側を屈曲内側としては撓み難い。衣料３に予め形成されたカップワイヤー２の筒状挿入部３４にカップワイヤー２を入れ込ませる場合には、端部キャップ１を先にしてこの挿入がなされることとなるが、端部キャップ１の末端部分１１はこのように撓みやすい方向と撓みがたい方向とをもっていることから、この挿入にあたり末端部分１１が不規則に撓んでこの挿入の妨げとなる事態を生じさせることがない。すなわち、カップワイヤー２は、カップ３１の前方に端部キャップ１の幅広の表面１２が向けられた状態で前記筒状挿入部３４に入れ込まれることから、こうした筒状挿入部３４の上下内壁３６、３６に末端部分１１が変形して突き当たることがなく、この挿入作業を円滑に行なえる。
【００５０】
また、端部カバーの末端部分１１は先細りとなっており、かつ、その先端縁は弧状縁１１ｄとなっていることから、この挿入にあたっての前記突き当たりは一層少なく、さらに、この末端部分１１が衣料装着者に違和感を与えることもない。
【００５１】
さらに、カップ３１の前方に端部キャップ１の幅広の表面１２が向けられた状態で前記筒状挿入部３４にカップワイヤー２が入れ込まれていることから、衣料装着者の身体に端部キャップ１が違和感を与えるといった事態をほとんど生じさせることがない。
【図面の簡単な説明】
【００５２】
【図１】端部キャップ１の正面図
【図２】図１におけるＡ−Ａ線位置での断面図
【図３】同右側面図
【図４】同使用状態を示す断面図
【図５】図１におけるＢ−Ｂ線位置での断面図
【図６】図１におけるＣ−Ｃ線位置での断面図
【図７】図１におけるＤ−Ｄ線位置での断面図
【図８】図１におけるＥ−Ｅ線位置での断面図
【図９】図１におけるＦ−Ｆ線位置での断面図
【図１０】カップワイヤー２に端部キャップ１を取り付けた状態を示した正面図
【図１１】端部キャップ１を取り付られたカップワイヤー２およびブラジャー３０の要部斜視図
【図１２】ブラジャー３０の要部斜視図
【符号の説明】
【００５３】
１  キャップ
１０  スリーブ部分
１１  末端部分
１１ａ  最幅広部分
１２  表面
１３  裏面
２  カップワイヤー
２０  ワイヤー端部
３  衣料
３１  カップ
【図１】
2006336144.tif 000003
【図２】
2006336144.tif 000004
【図３】
2006336144.tif 000005
【図４】
2006336144.tif 000006
【図５】
2006336144.tif 000007
【図６】
2006336144.tif 000008
【図７】
2006336144.tif 000009
【図８】
2006336144.tif 000010
【図９】
2006336144.tif 000011
【図１０】
2006336144.tif 000012
【図１１】
2006336144.tif 000013
【図１２】
2006336144.tif 000014